(57)【特許請求の範囲】
【請求項１】
回転中心に設けられた基部と、
前記基部から前記回転中心と直交する方向の外側に向けて延びる指針本体部と、
電子部品およびアンテナを有する送受信ユニットと、
を備え、
前記電子部品は、前記基部に配置され、かつ前記回転中心の軸方向から見て前記基部より小さく形成され、
前記アンテナは、前記指針本体部に配置され、
前記アンテナは、絶縁膜を挟んで互いに重なり合う部分を有し、
前記送受信ユニットが前記基部および前記指針本体部と一体化された構成であり、
前記送受信ユニットとリーダーライター間において、真偽確認およびトレーサビリティの少なくともいずれか一方の情報の通信を非接触で行う、
ことを特徴とする時計用指針。
【請求項２】
前記アンテナは、ムーブメントと対向する面に配置されている、
ことを特徴とする請求項１に記載の時計用指針。
【請求項３】
請求項２に記載の時計用指針が取り付けられていることを特徴とするムーブメント。
【請求項４】
請求項１または２に記載の時計用指針を備えることを特徴とする機械式時計。
【請求項５】
文字板を備え、
前記アンテナは、前記指針本体部の前記文字板と対向する面に配置されている、
ことを特徴とする請求項４に記載の機械式時計。
【発明の詳細な説明】
【技術分野】
【０００１】
本発明は、時計用指針、ムーブメントおよび機械式時計に関するものである。
【背景技術】
【０００２】
従来から外部装置と通信を行う送受信ユニットを備えた時計が知られている。例えば特許文献１には、フィルム基板と、フィルム基板に配線を設けてなるアンテナと、フィルム基板に設けられてアンテナと電気的に接続されたＩＣチップ（電子部品）と、を備えた無線モジュール（送受信ユニット）を有する時計が開示されている。
【先行技術文献】
【特許文献】
【０００３】
【特許文献１】特許第４４１５１８０号公報
【発明の概要】
【発明が解決しようとする課題】
【０００４】
しかしながら、上記従来の時計においては、送受信ユニットが時計用指針等の各種時計部品とは別体で設けられているので、部品点数が増加して、時計が大型化するという課題がある。
【０００５】
そこで本発明は、送受信ユニットを設けることにより時計が大型化することを防止できる時計用指針、その時計用指針を備えるムーブメントおよび機械式時計を提供するものである。
【課題を解決するための手段】
【０００６】
本発明の時計用指針は、回転中心に設けられた基部と、前記基部から前記回転中心と直交する方向の外側に向けて延びる指針本体部と、電子部品およびアンテナを有する送受信ユニットと、を備え、前記電子部品は、前記基部に配置され、かつ前記回転中心の軸方向から見て前記基部より小さく形成され、前記アンテナは、前記指針本体部に配置され、前記アンテナは、絶縁膜を挟んで互いに重なり合う部分を有し、前記送受信ユニットが前記基部および前記指針本体部と一体化された構成であり、前記送受信ユニットとリーダーライター間において、真偽確認およびトレーサビリティの少なくともいずれか一方の情報の通信を非接触で行う、ことを特徴とする。
【０００７】
本発明によれば、電子部品は基部に配置され、アンテナは指針本体部に配置されているので、送受信ユニットが時計の狭小部品である時計用指針として一体化された構成とすることができる。これにより、時計用指針は、送受信ユニットが別部材として時計に設けられる構成と比べて、送受信ユニットを備えることにより時計が大型化することを防止できる。
しかも、アンテナは、基部から延びる指針本体部に設けられているので、アンテナを指針本体部と同等の大きさで長尺に形成することができ、送受信ユニットの検出感度を向上させることができる。
【０００８】
上記のムーブメントにおいて、前記アンテナは、ムーブメントと対向する面に配置されている、ことが望ましい。
【０００９】
本発明によれば、アンテナは、ムーブメントの例えば地板において反射した電波を効率よく受信することができる。したがって、送受信ユニットの検出感度を向上させることができる。
【００１０】
本発明のムーブメントは、上記の時計用指針が取り付けられていることを特徴とする。
【００１１】
本発明によれば、ムーブメントの例えば地板において反射した電波をアンテナにおいて効率よく受信させることができる。したがって、送受信ユニットの検出感度を向上させることができる。
【００１２】
本発明の機械式時計は、上記の時計用指針を備えることを特徴とする。
【００１３】
本発明によれば、送受信ユニットが別部材として設けられる構成と比べて小型な機械式時計が得られる。
【００１４】
上記の機械式時計において、文字板を備え、前記アンテナは、前記指針本体部の前記文字板と対向する面に配置されている、ことが望ましい。
【００１５】
本発明によれば、アンテナは、文字板において反射した電波を効率よく受信することができる。したがって、優れた検出感度を有する送受信ユニットを備えた機械式時計とすることができる。
【発明の効果】
【００１６】
本発明によれば、電子部品は基部に配置され、アンテナは指針本体部に配置されているので、送受信ユニットが時計の狭小部品である時計用指針として一体化された構成とすることができる。これにより、時計用指針は、送受信ユニットが別部材として時計に設けられる構成と比べて、送受信ユニットを備えることにより時計が大型化することを防止できる。
【図面の簡単な説明】
【００１７】
【図１】第１実施形態に係る時計の外観図である。
【図２】第１実施形態に係る秒針を意匠面側から見た斜視図である。
【図３】第２実施形態に係る秒針を意匠面とは反対側から見た斜視図である。
【発明を実施するための形態】
【００１８】
以下、本発明の実施形態を図面に基づいて説明する。
【００１９】
［第１実施形態］
最初に、第１実施形態の機械式時計、ムーブメントおよび時計用指針について説明する。なお、以下の説明では、機械式時計を単に「時計」と称する。
一般に、時計の駆動部分を含む機械体を「ムーブメント」と称する。このムーブメントに文字板、指針を取り付けて、時計ケースの中に入れて完成品にした状態を時計の「コンプリート」と称する。
【００２０】
図１は、第１実施形態に係る時計の外観図である。
図１に示すように、本実施形態の時計１のコンプリートは、図示しないケース裏蓋、およびガラス２からなる時計ケース３内に、ムーブメント１００と、時に関する情報を示す目盛り等を有する文字板１１と、時を示す時針１２、分を示す分針１３、および秒を示す秒針１４を含む時計用指針と、を備えている。文字板１１は、金属材料により形成されている。文字板１１には、日付を表す数字を明示させる日窓１１ａが開口している。これにより、時計１は、時刻に加え、日付を確認することが可能とされている。
【００２１】
ムーブメント１００は、金属材料により形成された地板（不図示）に輪列機構が配置されている。輪列機構は、動力源として回転する香箱車、および香箱車の回転に基づいて回転する各種歯車体（筒車や二番車、四番車等）を含んでいる（いずれも不図示）。ムーブメント１００は、筒車に取り付けられた時針１２、二番車に取り付けられた分針１３、および四番車の軸部に取り付けられた秒針１４（時計用指針）を中心軸Ｐ回りに回転させる。
【００２２】
図２は、第１実施形態に係る秒針を意匠面側から見た斜視図である。
図２に示すように、秒針１４は、中心軸Ｐと同軸上に配置されて四番車の軸部に外嵌される筒状の取付部１４ａと、中心軸Ｐ上（回転中心）に設けられた円板状の基部１４ｂと、基部１４ｂから中心軸Ｐと直交する方向の外側に向けて延びる板状の秒針本体部１４ｃ（指針本体部）と、基部１４ｂおよび秒針本体部１４ｃに取り付けられた送受信ユニット３０と、を備えている。
【００２３】
送受信ユニット３０は、ＲＦＩＤ（Ｒａｄｉｏ  Ｆｒｅｑｕｅｎｃｙ  ＩＤｅｎｔｉｆｉｃａｔｉｏｎ：ＲＦＩＤ）ユニットとして用いられ、リーダーライター等の外部装置との間で通信を非接触で行う。送受信ユニット３０は、ＩＣチップ３１（電子部品）およびアンテナ３３を備えている。
【００２４】
ＩＣチップ３１は、例えばＩＳＯ７８１６において規定されたＲＦＩＤチップである。ＩＣチップ３１は、秒針１４の基部１４ｂの意匠面１４ｄ上に固定されている。ＩＣチップ３１は、中心軸Ｐの軸方向から見て秒針１４の基部１４ｂよりも小さい矩形板状に形成されている。なお、ＩＣチップ３１は、基部１４ｂの意匠面１４ｄに埋め込まれた構成であってもよい。
【００２５】
アンテナ３３は、銀等の金属材料により形成され、秒針１４の基部１４ｂの意匠面１４ｄ、および秒針本体部１４ｃの意匠面１４ｅ上にパターニングされた金属配線として設けられている。アンテナ３３は、基部１４ｂにおいて両端部がＩＣチップ３１に接続されるとともに、秒針本体部１４ｃにおいてその基端と先端との間を２往復するように設けられている。なお、アンテナ３３は、図示しない絶縁膜により被覆されていてもよい。また、アンテナ３３同士が重なり合う部分は、図示しない絶縁膜を挟むことで短絡が防止されている。
【００２６】
アンテナ３３は、インクジェット印刷等により高密度で形成されている。具体的に、アンテナ３３は、特許第５２３９０５７号公報や特許第５４６７５８９号公報、特許第５５８２５９７号公報、特許第５４２６１２２号公報、特許第５３２９８６８号公報等に記載の技術を用いて形成されている。アンテナ３３を形成するインクジェット印刷は、例えば液滴径が１μｍ以下で、液滴体積が１ｆｌ（フェムトリットル）以下となる方法を適用することが望ましい。
【００２７】
このように、本実施形態によれば、時計１は、送受信ユニット３０を備えているので、非接触通信による偽造防止（真偽確認）機能やトレーサビリティ機能等を有することができる。上記偽造防止機能やトレーサビリティ機能を利用する際には、時計１をリーダーライターに近付けることで、リーダーライターと送受信ユニット３０との間で非接触で通信を行わせる。これにより、リーダーライターに真偽確認やトレーサビリティの情報を読み取らせることができる。
【００２８】
そして、本実施形態によれば、ＩＣチップ３１は秒針１４の基部１４ｂに配置され、アンテナ３３は秒針本体部１４ｃに配置されているので、送受信ユニット３０が時計１の狭小部品である秒針１４として一体化された構成とすることができる。これにより、秒針１４は、送受信ユニットが別部材として時計に設けられる構成と比べて、送受信ユニット３０を備えることにより時計１が大型化することを防止できる。
しかも、アンテナ３３は、基部１４ｂから延びる秒針本体部１４ｃに設けられているので、アンテナ３３を秒針本体部１４ｃと同等の長尺に形成することができ、送受信ユニット３０の検出感度を向上させることができる。
【００２９】
そして、本実施形態の時計１によれば、秒針１４を備えることで、送受信ユニットが別部材として設けられる構成と比べて小型な時計１とすることができる。
【００３０】
［第２実施形態］
次に、第２実施形態の時計、ムーブメントおよび時計用指針について説明する。
図３は、第２実施形態に係る秒針を意匠面とは反対側から見た斜視図である。
図２に示す第１実施形態では、アンテナ３３は、秒針本体部１４ｃの意匠面１４ｅ上に配置されている。これに対して、図３に示す第２実施形態では、アンテナ１３３は、秒針本体部１４ｃにおける意匠面１４ｅとは反対側の裏面１４ｆ（すなわち文字板１１（図１参照）と対向する面）に配置されている点で、第１の実施形態と異なっている。なお、図１および図２に示す第１実施形態と同様の構成については、同一符号を付して詳細な説明を省略する。
【００３１】
図３に示すように、送受信ユニット１３０のアンテナ１３３は、秒針本体部１４ｃの裏面１４ｆ上において、ムーブメント１００および文字板１１（ともに図１参照）と対向するように配置されている。アンテナ１３３は、秒針１１４の基部１４ｂにおいて両端部がＩＣチップ３１に接続されている。アンテナ１３３は、ＩＣチップ３１から基部１４ｂの意匠面１４ｄ（図２参照）上および側面上を通り、秒針本体部１４ｃの裏面１４ｆ上に向かって延びている。アンテナ１３３は、秒針本体部１４ｃの裏面１４ｆ上において、その基端と先端との間を２往復するように設けられている。
【００３２】
このように、本実施形態によれば、アンテナ１３３は、ムーブメント１００と対向する裏面１４ｆに配置されているので、ムーブメント１００の金属材料により形成された地板において反射した電波を効率よく受信することができる。したがって、送受信ユニット１３０の検出感度を向上させることができる。
【００３３】
また、アンテナ１３３は、秒針本体部１４ｃの文字板１１と対向する裏面１４ｆに配置されているので、文字板１１において反射した電波を効率よく受信することができる。したがって、優れた検出感度を有する送受信ユニット１３０を備えた時計１とすることができる。
【００３４】
なお、本発明は、図面を参照して説明した上述の実施形態に限定されるものではなく、その技術的範囲において様々な変形例が考えられる。
例えば、上記実施形態においては、送受信ユニットを備える時計用指針として、秒針１４を例に挙げて説明したが、これに限定されず、例えば時針や分針等に対して同様の構成を適用してもよい。また、時針、分針および秒針のうち複数の時計用指針に送受信ユニットを設けてもよい。
【００３５】
その他、本発明の趣旨を逸脱しない範囲で、上記した実施の形態における構成要素を周知の構成要素に置き換えることは適宜可能である。
【符号の説明】
【００３６】
１…時計（機械式時計）  １１…文字板  １４，１１４…秒針（時計用指針）  １４ｂ…基部  １４ｃ…秒針本体部（指針本体部）  ３０，１３０…送受信ユニット  ３１…ＩＣチップ（電子部品）  ３３，１３３…アンテナ  １００…ムーブメント  
【図１】
0006727793.tif 000002
【図２】
0006727793.tif 000003
【図３】
0006727793.tif 000004